(57)【特許請求の範囲】
【請求項１】
一端に絶縁被覆体を有する電導体を固着するための一対の第１カシメ耳片（２）と該電導体の裸導体の端部をカシメるための一対の第２カシメ耳片（３）を備え、他端に雄型電気コンタクト部材を収容するようにその自由端を開口させたブッシュ（２０）を設け、かつ機械的特性の良好な材料の一部材から形成した本体（１）と、
本体（１）の他端のブッシュ（２０）内に収納され、良好な電導体で形成され、かつ雄型電気コンタクト部材を把持するために弾性クランプを備えるように形成されたリング（１０）とから構成し、
該リング（１０）と別個に形成した良好な電導性を有する可撓性編組導体（７）を設け、該可撓性編組導体（７）の一端をリング（１０）に取付け、その他端を第２カシメ耳片（３）の近くに本体から切り出して形成した舌片（４）により本体（１）に固着させ、
該舌片（４）と第２カシメ耳片（３）とからなる部分には本体の材料よりも良好な電導性を有する材料の層でそれらの内部を被覆させたことを特徴とする雌型電気コンタクト部材。
【請求項２】
本体の材料よりも良好な電導性を有する材料を銅合金にしたことを特徴とする請求項１に記載の雌型電気コンタクト部材。
【発明の詳細な説明】
【０００１】
本発明は雌型電気コンタクト部材に関するものである。
【０００２】
本発明は、特に一端に電導体に固着するための手段を有し、他端に雄型電気コンタクト部材を収容するための部材を備えた本体からなり、本体には雄型電気コンタクト部材を収容するようにその自由端を開口させたブッシュを有し、雄型電気コネクタ部材を収容するための部材には雄型電気コンタクト部材を把持するようにした弾性舌片により電導体に固着するための手段に向かって延伸させたリングを設け、リングをブッシュ上で摺動する浮動リングから構成し、ブッシュ内のリングの摺動を制限するための手段を設けた雌型電気コンタクト部材に関するものである。
【０００３】
【従来の技術】
上述した形式の雌型電気コンタクト部材は１９９７年１月８日に出願されたフランス特許出願第９７−００１０９号明細書に記載されている。
【０００４】
上記の型式の雌型電気コンタクト部材において、ブッシュは雌型電気コンタクト部材を電気コネクターのハウジング部材の通路内に固定しかつ移動できないようにするための切り出し保持舌片を有している。
【０００５】
【課題を解決するための手段】
その結果、ブッシュは保持舌片が有効となるようにするには良好な機械的特性を備えねばならず、そのためブッシュはステンレススチールにより形成されているが、この材料は不十分な導電特性を有し、これは電気コンタクト部材を２つの部分において考慮することになり、第１部分は導電体に電気コンタクト部材を固着するためのカシメ耳片に固着されるブッシュからなっており、第２部分は可撓性接続体に接続されかつリングと同様に良好な電導体である銅合金から形成されるカシメ耳片からなっている。上記２つの部分を有する雌型電気コンタクト部材はその長さに全体にわたって完全な剛性を有するが、コスト的な欠点がある。
【０００６】
本発明の目的は、機械的強度が強く、良好な電導特性を備えると共に非常に低い製造コストを有する上記した型式の雌型電気コンタクト部材を提供することにある。
【０００７】
【課題を解決するための手段】
本発明は一端に絶縁被覆体を有する電導体に固着するための一対の第１カシメ耳片と電導体の裸導線の端部にカシメるための一対の第２カシメ耳片とを設け、他端に雄型電気コンタクト部材を収容するようにその自由端を開口させたブッシュと、該ブッシュ内に収納され、良好な電気導体でありかつ雄型電気コンタクト部材を把持するようにした弾性クランプを形成するようにしたリングを備えた本体からなる雌型電気コンタクト部材であって、リングを良好な電導体である可撓性編組体の一端に取付け、その他端を一対の第２カシメ耳片の近くの本体から切り出された舌片により本体に固着させ、本体を良好な機械的特性を有するスチールのような材料から形成させ、前記舌片および第２カシメ耳片からなる部分には本体の材料と異なりかつ本体の材料より良好な導電特性を有する材料の層で内部を被覆させたことを特徴とするものである。
【０００８】
従って、本体は加工とその組立てが簡単であるステンレススチールから一部材で形成することができ、非常に低コストで雌型電気コンタクト部材を製造することができる。
【０００９】
本体の導電性より良好な導電特性を有する材料は好ましくは銅合金である。
【００１０】
【実施例】
本発明を添付図面に示した実施例について詳細に説明する。
【００１１】
図示した雌型電気コンタクト部材は絶縁被覆体を有する電導体にカシメるために一端に一対の第１カシメ耳片２を有すると共に電導体の裸導線の端部にカシメるための一対の第２カシメ耳片３を有するように形成させたステンレススチール製の本体１からなっている。
【００１２】
第２カシメ耳片３の近くには支持面６ａを設けるために凹所６が形成されている。凹所６と同一線上の２つの切り出し舌片４は可撓性編組導体７の一端を固定するように支持面６ａと接触して支持面６ａ上に屈曲されており、可撓性編組導体７は良好な電導体であり、その他端は耳片１１によってリング１０に固定されている。
【００１３】
リング１０は良好な電気導体である銅合金から形成され、雄型電気コンタクト部材を把持するために、首部分１５ａを形成する２つの舌片１６と２つの帯片１５を有する弾性クランプを備えた雄型電気コンタクト部材を挿入するための開口部１２を有するように形成されている。
【００１４】
カシメ耳片２および３と反対の端部において、本体１はブッシュ２０により延伸され、ブッシュ２０から２つの保持帯片２１と２つの屈曲部分２２が切り出されている。帯片２１はコネクタ収納部材の通路内に雌型電気コンタクト部材を固定するようになっており、屈曲部分２２は錠止キーと協働するための肩部分を形成している。
【００１５】
ブッシュ２０の自由端は対立部材２３を備えることができる。
【００１６】
ブッシュ２０の自由端において雄型電気コンタクト部材が通過するための通路２５が設けられている。
【００１７】
ブッシュ２０の２つの開口部２６は耳片３に向かう端部に、内側突起を形成する縁部を有し、該内側突起はブッシュ２０内のリング１０の摺動を制限するためにリング１０の屈曲部分１４用の受け台１７を構成する。
【００１８】
本発明によれば、帯片４とカシメ耳片３とからなっている本体１の部分は銅合金層３０で被覆されている。本体１が形成され材料より良好な導電特性を有している銅合金層３０は本体１のこれらの部分に積層されている。これはリング１０から耳片３までに電気的連続性を設け、これら２つの部材間のすべての構成部材は良好な導電体である。
【００１９】
本発明は上述した実施例に限定するものではなく、本発明の実施例には本発明の範囲から逸脱することなく各種の変形及び変更を行うことができる。
【００２０】
【発明の効果】
本発明は、本体をスチールから形成してあるので、その機械的特性が強く、カシメ耳片を本体の材料より良好な導電性を有する銅合金の層で被覆させてあるので、良好な導電特性を有し、かつ製造コストが安価である効果を有する。
【図面の簡単な説明】
【図１】図２の線１−１に沿う断面図である。
【図２】図１の線２−２に沿う断面図である。
【符号の説明】
１    本体
２    一対の第１カシメ耳片
３    一対の第２カシメ耳片
４    舌片
７    可撓性編組導体
１０  リング
２０  ブッシュ
３０  銅合金層
【図１】
0004199351.tif 000002
【図２】
0004199351.tif 000003